(57)【要約】【課題】良好に発電することができる潮汐発電装置を提供する。【解決手段】潮汐発電装置は、フロート１０、シリンダ装置２０、及び発電装置６０を備えている。フロート１０は、岸壁に設置された状態で、少なくとも一部が水中に開口する前開口部７２Ａが形成され、上端部が水面よりも上方に露出する前壁部７２を有したスリット式防波堤７０に収納され、上下動自在に案内される。シリンダ装置２０はフロート１０の上下動によって伸縮する。発電装置６０はシリンダ装置２０が伸縮することによって発電する。【選択図】図１
2017048729.tif 000002
【特許請求の範囲】
【請求項１】
岸壁に設置された状態で、少なくとも一部が水中に開口する前開口部が形成され、上端部が水面よりも上方に露出する前壁部を有した構造物に収納され、上下動自在に案内されるフロートと、
前記フロートの上下動によって伸縮するシリンダ装置と、
前記シリンダ装置が伸縮することによって発電する発電装置と、
を備えていることを特徴とする潮汐発電装置。
【請求項２】
前記構造物は内部に遊水室を形成した防波堤であることを特徴とする請求項１記載の潮汐発電装置。
【請求項３】
前記前開口部は、前記構造物が岸壁に設置された状態で、鉛直方向に伸びたスリット状であることを特徴とする請求項１又は２記載の潮汐発電装置。
【請求項４】
前記シリンダ装置は一方の端部が前記フロートに連結されており、
前記シリンダ装置の他方の端部を連結し、前記構造物が岸壁に設置された状態で、鉛直方向に開口した上開口部を塞ぐ蓋部材を備えていることを特徴とする請求項１乃至３のいずれか１項記載の潮汐発電装置。
【請求項５】
前記蓋部材は、下側の裏面に高低差が形成され、第１裏面と、この第１裏面よりも高い位置に形成された第２裏面とを有しており、
前記シリンダ装置は他方の端部を前記第２裏面に連結していることを特徴とする請求項４記載の潮汐発電装置。
【請求項６】
前記フロートは、中空構造であり、上面に内部空間に連通する連通孔が形成されており、前記連通孔を閉鎖する蓋を有していることを特徴とする請求項１乃至５のいずれか１項記載の潮汐発電装置。
【請求項７】
前記フロートは、上面に高低差が形成され、第１上面と、この第１上面よりも低い位置に形成された第２上面とを有しており、
前記シリンダ装置は一方の端部を前記第２上面に連結していることを特徴とする請求項１乃至６のいずれか１項記載の潮汐発電装置。
【発明の詳細な説明】
【技術分野】
【０００１】
本発明は潮汐発電装置に関するものである。
【背景技術】
【０００２】
特許文献１は従来の潮汐発電装置を開示している。この潮汐発電装置は、フロート、シリンダ装置、及び発電装置を備えている。フロートは海底に立設され海面上に伸びた一対の柱部材の間に上下動自在に取り付けられている。シリンダ装置はフロートの上下動によって伸縮する。発電装置はシリンダ装置が伸縮することによって発電する。この潮汐発電装置は、潮の満ち引きによる水位の上下動に応じてフロートが上下動し、発電することができる。
【先行技術文献】
【特許文献】
【０００３】
【特許文献１】特開平１１−３５１１２０号公報
【発明の概要】
【発明が解決しようとする課題】
【０００４】
しかし、特許文献１の潮汐発電装置は、フロートが柱部材の間に上下動自在に取り付けられ露出しているため、フロートが波や潮の流れを多方向から受ける。このため、この潮汐発電装置は、波や水の流れによってフロートに多方向から直接的に力が加わるため、可動部等が損傷しやすく、発電に支障をきたすおそれがある。
【０００５】
本発明は、上記従来の実情に鑑みてなされたものであって、良好に発電することができる潮汐発電装置を提供することを解決すべき課題としている。
【課題を解決するための手段】
【０００６】
本発明の潮汐発電装置は、フロート、シリンダ装置、及び発電装置を備えている。フロートは、岸壁に設置された状態で、少なくとも一部が水中に開口する前開口部が形成され、上端部が水面よりも上方に露出する前壁部を有した構造物に収納され、上下動自在に案内される。シリンダ装置はフロートの上下動によって伸縮する。発電装置はシリンダ装置が伸縮することによって発電する。
【０００７】
この潮汐発電装置は、前開口部が形成された前壁部を有する構造物にフロートが収納され、上下動自在に案内される。このため、この潮汐発電装置は前開口部から流入出した波や水の流れを構造物内に収納されたフロートが受ける。このため、この潮汐発電装置は、フロートが特定の方向から力を受け、フロートが過剰な波の力や水の流れを受けにくい。また、この潮汐発電装置は、フロートが構造物内に設けられていることでフロートを容易に収納でき、水位の上下動に応じてフロートがスムーズに上下動することができる。このため、この潮汐発電装置は、潮の満ち引きによる水位の上下動のみならず、波による水位の上下動に応じてフロートを上下動させることができる。よって、この潮汐発電装置は、波による水位の上下動によってシリンダ装置が小さいストロークで伸縮し、潮の満ち引きによる水位の上下動によってシリンダ装置が大きいストロークで伸縮して発電することができる。
【０００８】
したがって、本発明の潮汐発電装置は良好に発電することができる。
【０００９】
また、この潮汐発電装置は、構造物へのフロートの収納や、シリンダ装置の固定などを容易に行うことができる。また、この潮汐発電装置は海のみでなく水面が上下動する河川にも設置することができる。
【００１０】
本発明の潮汐発電装置において、構造物は内部に遊水室を形成した防波堤であり得る。この場合、この潮汐発電装置は防波堤としての機能を有する。このため、この潮汐発電装置は、フロート、シリンダ装置、及び発電装置を波の力や水の流れによって損傷することを防止することができる。また、この潮汐発電装置は内部に遊水室を形成した既存の防波堤に取り付けて発電することができる。
【００１１】
本発明の潮汐発電装置において、前開口部は、構造物が岸壁に設置された状態で、鉛直方向に伸びたスリット状であり得る。この場合、この潮汐発電装置は、スリット状の前開口部を介して水が流入出するため、波による水位の変動が構造物内（遊水室）で大きくなる。このため、この潮汐発電装置は、波によるフロートの上下動が大きく、効率的に発電することができる。また、この潮汐発電装置は、前開口部が鉛直方向に伸びたスリット状であるため、大きな浮遊物が前開口部を通過し難く、構造物内（遊水室）に大きな浮遊物が侵入することを防止することができる。このため、フロートに大きな浮遊物が接触することがないため、フロートの強度アップを必要としない。
【００１２】
本発明の潮汐発電装置は蓋部材を備え得る。そして、シリンダ装置は、一方の端部がフロートに連結され、他方の端部が蓋部材に連結し得る。また、蓋部材は、構造物が岸壁に設置された状態で、鉛直方向に開口した上開口部を塞ぐものである。この場合、この潮汐発電装置は、構造物の上開口部を蓋部材で塞ぐため、構造物内（遊水室）へ人や物が落下することを防止することができる。また、この潮汐発電装置において、シリンダ装置をフロートの上下動によって伸縮させるためには、構造物内に収納されたフロートと、構造物の上部に配置された蓋部材との間にシリンダ装置を連結することが適している。
【００１３】
本発明の潮汐発電装置において、蓋部材は、下側の裏面に高低差が形成され、第１裏面と、この第１裏面よりも高い位置に形成された第２裏面とを有し得る。そして、シリンダ装置は他方の端部を第２裏面に連結し得る。この場合、この潮汐発電装置は、シリンダ装置のストロークを長くすることができるため、潮の満ち引きによる水位変動が大きくても、その水位変動に追随してシリンダ装置が伸縮し、発電することができる。
【００１４】
本発明の潮汐発電装置において、フロートは、中空構造であり、上面に内部空間に連通する連通孔が形成されており、連通孔を閉鎖する蓋を有し得る。この場合、この潮汐発電装置はフロート内に水を入れて重量を調整することで浮力を調整することができる。このため、この潮汐発電装置はシリンダ装置の取り付けを容易に行うことができる。また、この潮汐発電装置は、シリンダ装置が良好に伸縮することができ、効率的に発電することができる。
【００１５】
本発明の潮汐発電装置において、フロートは、上面に高低差が形成され、第１上面と、この第１上面よりも低い位置に形成された第２上面とを有し得る。そして、シリンダ装置は一方の端部を第２上面に連結し得る。この場合、この潮汐発電装置は、シリンダ装置のストロークを長くすることができるため、潮の満ち引きによる水位変動が大きくても、その水位変動に追随してシリンダ装置が伸縮し、発電することができる。
【図面の簡単な説明】
【００１６】
【図１】実施形態１の潮汐発電装置を横方向から見た垂直断面図である。
【図２】実施形態１の潮汐発電装置を正面から見た垂直断面図である。
【図３】実施形態１の潮汐発電装置を上方から見た透視図である。
【図４】実施形態１の潮汐発電装置の水平断面図である。
【図５】実施形態１の発電装置を駆動する油圧回路を示す概略図である。
【発明を実施するための形態】
【００１７】
本発明の潮汐発電装置を具体化した実施形態１について、図面を参照しつつ説明する。
【００１８】
＜実施形態１＞
実施形態１の潮汐発電装置は、図１〜図５に示すように、フロート１０、シリンダ装置２０、蓋部材３０、水車４０、水車４０の支持部材５０、及び発電装置６０を備えている。この潮汐発電装置は、図１〜図４に示すように、構造物であるスリット式防波堤７０を構成するブロック７１に組み付けられている。スリット式防波堤７０は複数のブロック７１を岸壁に沿って連続的に設置することによって形成される。ブロック７１はスリット式防波堤７０を構成する一般的な構造を有している。つまり、ブロック７１は、岸壁に設置された際、外形状が岸壁に沿って長い直方体形状である。また、ブロック７１は、前壁部７２、左右壁部７３、後壁部７４、底壁部７５、及びこれらに囲まれた内部空間を複数の遊水室Ｒに仕切る複数の隔壁部７６を有している。
【００１９】
前壁部７２は、図１及び図２に示すように、ブロック７１が岸壁に設置された状態で、上端部が満潮時の水面よりも上方に露出する。前壁部７２は、ブロック７１が岸壁に設置された状態で、一つの遊水室Ｒに対して、鉛直方向に伸びる３個のスリット状の前開口部７２Ａを形成している。一つの遊水室Ｒに対して設けられた３個の前開口部７２Ａは、同形状であり、左右中央の前開口部７２Ａから左右方向に等間隔で１個ずつ平行に配置されている。また、一つの遊水室Ｒに対して設けられた３個の前開口部７２Ａは、左右中央の前開口部７２Ａが遊水室Ｒの左右中央に配置されている。また、各前開口部７２Ａは、上端が満潮時の水位よりも高く、下端が干潮時の水位よりも低い。このように、各前開口部７２Ａは少なくとも一部が水中に常に開口している。
【００２０】
左右壁部７３及び隔壁部７６は等間隔に形成されている。このため、ブロック７１内に形成された複数の遊水室Ｒは、鉛直方向に長い直方体形状であり、同じ容積を有している。また、左右壁部７３及び隔壁部７６は隣接する遊水室Ｒを連通する横開口部７３Ａが形成されている。後壁部７４は、ブロック７１が岸壁に設置された状態で、遊水室Ｒの岸壁側を閉鎖している。底壁部７５は、ブロック７１が岸壁に設置された状態で、遊水室Ｒの下側を閉鎖している。遊水室Ｒの上側は開口している。つまり、ブロック７１は遊水室Ｒごとに鉛直方向に開口した上開口部７１Ｕを形成している。
【００２１】
潮汐発電装置は各遊水室Ｒごとに取り付けられる。フロート１０はブロック７１内に形成された各遊水室Ｒ内に１個ずつ収納されている。このフロート１０は、中空構造であり、上面１１、下面１２、前側面１３、後側面１４、及び左右側面１５を有している。このフロート１０は、図３に示すように、上方から見た平面視において、外形が遊水室Ｒよりも僅かに小さい四角形状である。
【００２２】
また、このフロート１０は、図１に示すように、上面１１が下方に窪んだ凹部１１Ｃを形成している。凹部１１Ｃは、フロート１０の左右中央であり、前後中央よりも僅かに後壁部７４側に設けられている。ここで、フロート１０の左右前後は遊水室Ｒ内に収納されたフロート１０を前壁部７２側から見た左右前後である。また、フロート１０は、凹部１１Ｃの周りの上面が第１上面１１Ａであり、凹部１１Ｃの底面が第２上面１１Ｂである。このように、フロート１０は、上面１１に高低差が形成され、第１上面１１Ａと、第１上面１１Ａよりも低い位置に形成された第２上面１１Ｂとを有している。凹部１１Ｃの底面である第２上面１１Ｂは、後述するシリンダ装置２０の一方の端部（ロッド２３の先端部）を連結している。このように、フロート１０は、シリンダ装置２０を後側に配置し、後述する水車４０を前側に配置することによって、効率的なレイアウトにすることができる。また、フロート１０は、重心位置の近傍にシリンダ装置２０の一方の端部を連結する凹部１１Ｃを設けているため、バランスを取りやすい。
【００２３】
また、フロート１０は、図１及び図３に示すように、第１上面１１Ａに内部空間に連通する連通孔１１Ｈを形成している。このフロート１０は連通孔１１Ｈを閉鎖する蓋１６を有している。このフロート１０は蓋１６を取り外して内部空間に水を注入することができる。このため、このフロート１０は、内部空間に注入した水の量によって、重量を調整することで浮力を調整することができる。また、フロート１０は設置時にすぐ近くにある海水等を注入することによって浮力の微調整をすることができる。また、フロート１０は、運搬時に内部空間に水が注入されていないため、軽く、容易に運搬することができる。蓋１６は、常時、フロート１０部材に取り付けられ、連通孔１１Ｈを閉鎖している。
【００２４】
また、フロート１０は、図１に示すように、下面１２に段差（高低差）が形成され、後側の第１下面１２Ａと、前側の第１下面１２Ａよりも高い位置に形成された第２下面１２Ｂとを有している。つまり、このフロート１０は、前側（前壁部７２側）に、鉛直方向の厚みが薄い（上面１１と下面１２との間隔が狭い）前端部１０Ａを有している。このフロート１０は、前端部１０Ａに後述する水車４０の回転軸部４１が回転自在に挿通された挿通路１０Ｂを形成している。挿通路１０Ｂは、図１〜図３に示すように、前端部１０Ａの左右及び前後の略中央に鉛直方向に伸びている。水車４０は、フロート１０の前端部１０Ａに形成された挿通路１０Ｂを回転軸部４１が挿通し、第２下面１２Ｂから吊り下げられている。
【００２５】
また、フロート１０は、図１〜図４に示すように、前端部１０Ａの前側面１３、及び後側面１４のそれぞれに一対のローラー１７が取り付けられている。一対のローラー１７は左右方向に所定の間隔をあけて取り付けられている。各ローラー１７は前側面１３及び後側面１４に平行であって水平方向に伸びた回転軸周りに回転自在である。前側面１３に取り付けられた一対のローラー１７は、ブロック７１の前壁部７２の遊水室Ｒ側の面に取り付けられ、鉛直方向に伸びる一対のレール７２Ｒ上を移動する。後側面１４に取り付けられた一対のローラー１７は、ブロック７１の後壁部７４の遊水室Ｒ側の面に取り付けられ、鉛直方向に伸びる一対のレール上７４Ｒを移動する。このように、フロート１０は、ブロック７１内に形成された遊水室Ｒ内に収納され、左右方向及び前後方向にずれることなく、水位の変化に応じて上下動自在に案内される。つまり、フロート１０は、ブロック７１の前壁部７２、左右壁部７３、後壁部７４、及び隔壁部７６に衝突せずに、遊水室Ｒ内を水位の変化に応じてスムーズに上下動することができる。
【００２６】
シリンダ装置２０は、図１及び図５に示すように、シリンダ２１、ピストン２２、ロッド２３、及び図示しないロッドガイドを有している。シリンダ２１は有底筒状である。ロッドガイドはシリンダ２１の開口部を封鎖している。ピストン２２はシリンダ２１内に摺動自在に挿入されている。ピストン２２はシリンダ２１内をロッド側室２１Ａとピストン側室２１Ｂとに区画している。ロッド側室２１Ａ及びピストン側室２１Ｂは作動流体が充填されている。ロッド側室２１Ａ及びピストン側室２１Ｂは、後述する作動流体の循環流路６３に連通している。ロッド２３は、基端部がピストン２２に連結し、ロッドガイドを挿通して先端側がシリンダ２１の外部へ突出している。
【００２７】
シリンダ装置２０は、図１に示すように、ロッド２３の先端部（シリンダ装置２０の一方の端部）がフロート１０の上面１１に形成された凹部１１Ｃの底面である第２上面１１Ｂにボールジョイント２３Ａを介して連結されている。シリンダ装置２０はシリンダ２１の底部（シリンダ装置２０の他方の端部）が後述する蓋部材３０の第２裏面３１Ｂにボールジョイント２３Ｂを介して連結されている。
【００２８】
蓋部材３０は、図１及び図２に示すように、各遊水室Ｒごとに分けられて設けられ、ブロック７１の開口した上開口部７１Ｕを塞いでいる。蓋部材３０は、図３に示すように、上方から見た平面視において、外形が各遊水室Ｒごとに開口した上開口部７１Ｕよりも大きい四角形状である。蓋部材３０は裏面３１が上方に窪んだ凹部３０Ｃを形成している。凹部３０Ｃは、フロート１０に連結され、鉛直方向に立ち上がったシリンダ装置２０のシリンダ２１の上部を挿入することができる位置に形成されている。蓋部材３０は、凹部３０Ｃの周りの裏面３１が第１裏面３１Ａであり、凹部３０Ｃの底面が第２裏面３１Ｂである。このように、蓋部材３０は、裏面３１に高低差が形成され、第１裏面３１Ａと、第１裏面３１Ａよりも高い位置に形成された第２裏面３１Ｂとを有している。また、蓋部材３０は凹部３０Ｃが形成された部分の表面３２が上方に突出した凸部３２Ｃを形成している。
【００２９】
水車４０は、図１、図２、及び図４に示すように、回転軸部４１と、回転軸部４１の周りに形成された回転翼部４２とを有している。回転軸部４１は、フロート１０の挿通路１０Ｂを挿通して上端部がフロート１０の前端部１０Ａの上面１１よりも上側に突出している。
【００３０】
回転翼部４２は、２個の固定部材４２Ａと、一対の翼部材４２Ｂとを有している。各固定部材４２Ａは、円盤形状であり、中心に回転軸部４１が貫通している。一対の翼部材４２Ｂのそれぞれは半円筒部材で形成されている。回転翼部４２は回転軸部４１に固定された固定部材４２Ａの間に回転軸部４１を対称にして一対の翼部材４２Ｂを固定して形成されている。このように、この水車４０は、サポニウス型水車であり、一方向に回転する。
【００３１】
水車４０の支持部材５０は、図１及び図２に示すように、溝形鋼材で形成されている。この支持部材５０は、上側水平部５１、鉛直部５２、及び下側水平部５３を有している。上側水平部５１は、水車４０の回転軸部４１が挿通し、フロート１０の第２下面１２Ｂに前後方向に伸びて固定されている。鉛直部５２は上側水平部５１の後端縁に連続し鉛直方向に伸びている。また、この鉛直部５２は上端部がフロート１０の第１下面１２Ａと第２下面１２Ｂとを連結する前側面１３に固定されている。下側水平部５３は、鉛直部５２の下端縁に連続し、上側水平部５１と同じ方向に水平方向に伸びている。下側水平部５３は、上面に軸受部材５３Ａを有しており、水車４０の回転軸部４１の下端部を回転自在に支持している。このように、水車４０の支持部材５０は、フロート１０から下方に伸び、水車４０の下端を回転自在に支持している。
【００３２】
発電装置６０は、図５に示すように、流体圧ポンプ６１、シリンダ装置２０、タンク６２、循環流路６３、流体圧モーター６４、発電機６５、及びパワーコンディショナー６６から構成されている。流体圧ポンプ６１は、図１及び図２に示すように、フロート１０の前端部１０Ａの上面１１に取り付けられ、水車４０の回転軸部４１の上端部に回転軸部６１Ａが連結されている。流体圧ポンプ６１は、図５に示すように、作動流体が流出する流出ポート６１Ｓと、作動流体が流入する流入ポート６１Ｎを有している。流体圧ポンプ６１は一方向に作動流体を給排する。
【００３３】
タンク６２は、作動流体を貯留し、貯留された作動流体が空気によって加圧されている。タンク６２はフロート１０の第１上面１１Ａ上に取り付けられている。流体圧モーター６４及び発電機６５はシリンダ装置２０が挿入されて取り付けられている凹部１１Ｃよりも後方のフロート１０の第１上面１１Ａに取り付けられている。流体圧モーター６４は、作動流体が流出する流出ポート６４Ｓと、作動流体が流入する流入ポート６４Ｎを有している。流体圧モーター６４は一方向に作動流体を給排する。流体圧モーター６４及び発電機６５はそれぞれの回転軸部６４Ａ，６５Ａが連結されている。このため、流体圧モーター６４が回転すると発電機６５が発電する。
【００３４】
循環流路６３は、図５に示すように、流体圧モーター６４の流出ポート６４Ｓから流出した作動流体が第１逆止弁６３Ａ、タンク６２、フィルター６３Ｅ、流体圧ポンプ６１、第２逆止弁６３Ｂの順に流れて流体圧モーター６４の流入ポート６４Ｎへ流入する流路である。
【００３５】
この潮汐発電装置は、シリンダ装置２０が収縮すると、ピストン側室２１Ｂから作動流体が流出し、第３逆止弁６３Ｃを介して流体圧モーター６４の流入ポート６４Ｎへ作動流体が流入することによって、循環流路６３を作動流体が循環する。この際、シリンダ装置２０が収縮してロッド側室２１Ａの容量が拡大するため、タンク６２から第１連結流路６７Ａを介してロッド側室２１Ａへも作動流体が流れる。
【００３６】
また、この潮汐発電装置は、シリンダ装置２０が伸長すると、ロッド側室２１Ａから作動流体が流出し、タンク６２へ作動流体が流入することによって、循環流路６３を作動流体が循環する。この際、シリンダ装置２０が伸長してピストン側室２１Ｂの容量が拡大するため、タンク６２から第４逆止弁６３Ｄが設けられた第２連結流路６７Ｂを介してピストン側室２１Ｂへも作動流体が流れる。
【００３７】
このように、この潮汐発電装置は、潮の満ち引きによる水位の上下動、及び波による水位の上下動に応じてフロート１０が上下動することによってシリンダ装置２０が伸縮すると、循環流路６３を作動流体が循環する。これによって、流体圧モーター６４が回転し、発電機６５が発電する。また、この際、流体圧ポンプ６１を作動流体が流れるため、流体圧ポンプ６１も回転する。
【００３８】
また、この潮汐発電装置は、スリット状の前開口部７２Ａを介して遊水室Ｒに対して流入出する水の流れによって水車４０が回転すると、流体圧ポンプ６１が回転し、循環流路６３を作動流体が循環する。これによっても、この潮汐発電装置は、流体圧モーター６４が回転し、発電機６５が発電する。
【００３９】
パワーコンディショナー６６は、発電機６５に接続されており、直流発電機が発電した電気を家庭で利用することができるように変換する。パワーコンディショナー６６はフロート１０の第１上面１１Ａ上に取り付けられている。このように、発電装置６０（流体圧ポンプ６１、シリンダ装置２０、タンク６２、循環流路６３、流体圧モーター６４、発電機６５、及びパワーコンディショナー６６）はフロート１０に設けられている。
【００４０】
以上説明したように、実施形態１の潮汐発電装置は、フロート１０、シリンダ装置２０、及び発電装置６０を備えている。フロート１０は、岸壁に設置された状態で、少なくとも一部が水中に開口する前開口部７２Ａが形成され、上端部が水面よりも上方に露出する前壁部７２を有したスリット式防波堤７０に収納され、上下動自在に案内される。シリンダ装置２０はフロート１０の上下動によって伸縮する。発電装置６０はシリンダ装置２０が伸縮することによって発電する。
【００４１】
この潮汐発電装置は、前開口部７２Ａが形成された前壁部７２を有するスリット式防波堤７０にフロート１０が収納され、上下動自在に案内される。このため、この潮汐発電装置は前開口部７２Ａから流入出する波や水の流れをスリット式防波堤７０内に収納されたフロート１０が受ける。このため、この潮汐発電装置は、フロート１０が特定の方向から力を受け、フロート１０が過剰な波の力や水の流れを受けにくい。また、この潮汐発電装置は、フロート１０がスリット式防波堤７０内に設けられていることでフロート１０を容易に収納でき、水位の上下動に応じてフロート１０がスムーズに上下動することができる。このため、この潮汐発電装置は、潮の満ち引きによる水位の上下動のみならず、波による水位の上下動に応じてフロート１０を上下動させることができる。よって、この潮汐発電装置は、波による水位の上下動によってシリンダ装置２０が小さいストロークで伸縮し、潮の満ち引きによる水位の上下動によってシリンダ装置２０が大きいストロークで伸縮して発電することができる。
【００４２】
したがって、実施形態１の潮汐発電装置は良好に発電することができる。
【００４３】
また、この潮汐発電装置は防波堤としての機能を有する。このため、この潮汐発電装置は、フロート１０、シリンダ装置２０、及び発電装置６０を波の力や水の流れによって損傷することを防止することができる。また、この潮汐発電装置は既存のスリット式防波堤７０に取り付けて発電することができる。このように、この潮汐発電装置は、わざわざ構造物（ケーソン）を作る必要がなく、既存のスリット式防波堤７０を利用することができる。
【００４４】
また、この潮汐発電装置は、スリット状の前開口部７２Ａを介して水が流入出するため、波による水位の変動が遊水室Ｒで大きくなる。このため、この潮汐発電装置は、波によるフロート１０の上下動が大きく、効率的に発電することができる。また、この潮汐発電装置は、前開口部７２Ａが鉛直方向に伸びたスリット状であるため、大きな浮遊物が前開口部７２Ａを通過し難く、構造物内（遊水室Ｒ）に大きな浮遊物が侵入することを防止することができる。このため、フロート１０に大きな浮遊物が接触することがないため、フロート１０の強度アップを必要としない。
【００４５】
また、この潮汐発電装置は蓋部材３０を備えている。そして、シリンダ装置２０は、ロッド２３の先端部（一方の端部）がフロート１０に連結され、シリンダ２１の底部（他方の端部）が蓋部材３０に連結している。また、蓋部材３０は、スリット式防波堤７０が岸壁に設置された状態で、鉛直方向に開口した上開口部７１Ｕを塞ぐものである。このため、この潮汐発電装置は、スリット式防波堤７０の上開口部７１Ｕを蓋部材３０で塞ぐため、遊水室Ｒへ人や物が落下することを防止することができる。また、この潮汐発電装置において、シリンダ装置２０をフロート１０の上下動によって伸縮させるためには、スリット式防波堤７０内（遊水室Ｒ）に収納されたフロート１０と、スリット式防波堤７０の上部に配置された蓋部材３０との間にシリンダ装置２０を連結することが適している。
【００４６】
蓋部材３０は、下側の裏面３１に高低差が形成され、第１裏面３１Ａと、この第１裏面３１Ａよりも高い位置に形成された第２裏面３１Ｂとを有している。そして、シリンダ装置２０はシリンダ２１の底部（他方の端部）を第２裏面３１Ｂに連結している。このため、この潮汐発電装置は、シリンダ装置２０のストロークを長くすることができるため、潮の満ち引きによる水位変動が大きくても、その水位変動に追随してシリンダ装置２０が伸縮し、発電することができる。
【００４７】
フロート１０は、中空構造であり、上面１１に内部空間に連通する連通孔１１Ｈが形成されており、連通孔１１Ｈを閉鎖する蓋１６を有している。このため、この潮汐発電装置はフロート１０内に水を入れて重量を調整することで浮力を調整することができる。これによって、この潮汐発電装置はシリンダ装置２０の取り付けを容易に行うことができる。また、この潮汐発電装置は、シリンダ装置２０が良好に伸縮することができ、効率的に発電することができる。また、フロート１０は設置時にすぐ近くにある海水等を注入することによって浮力の微調整をすることができる。また、フロート１０は、運搬時に内部空間に水が注入されていないため、軽く、容易に運搬することができる。
【００４８】
フロート１０は、上面１１に高低差が形成され、第１上面１１Ａと、この第１上面１１Ａよりも低い位置に形成された第２上面１１Ｂとを有している。そして、シリンダ装置２０はロッド２３の先端部（一方の端部）を第２上面１１Ｂに連結している。このため、この潮汐発電装置は、シリンダ装置２０のストロークを長くすることができるため、潮の満ち引きによる水位変動が大きくても、その水位変動に追随してシリンダ装置２０が伸縮し、発電することができる。また、高さ制限のある防波堤に対しても、シリンダ装置２０のロッド２３の先端部（一方の端部）を第１上面１１Ａよりも低い位置に形成された第２上面１１Ｂに連結することによって、シリンダ装置２０のストローク長を最大限にして有効に利用することができる。
【００４９】
この潮汐発電装置は、水車４０をフロート１０に吊り下げているため、潮の満ち引きによる水位の変化にかかわらず、水車４０を常に水中に存在させることができる。このため、この潮汐発電装置は、潮の満ち引きによる水位の変化に影響を受けずに水車４０が水の流れを効率的に受けて回転し、発電装置６０が発電することができる。また、この潮汐発電装置は、水車４０が常に水中に存在するため、水車４０に貝等の生物付着がしにくく、また、錆が進みにくい。このため、この潮汐発電装置は、長期間、水の流れを水車４０が効率的に受けて回転し、発電装置６０が発電することができるとともに、メンテナンスの手間を削減することができる。
【００５０】
この潮汐発電装置は、フロート１０から下方に伸び、水車４０の下端を回転自在に支持する支持部材５０を備えている。このため、この潮汐発電装置は水車４０を良好に回転させることができる。
【００５１】
この潮汐発電装置は、発電装置６０をフロート１０に設けている。このため、この潮汐発電装置は、フロート１０ともに発電装置６０が上下動するため、潮の満ち引きによる水位の変化に影響を受けずに発電装置６０が発電することができる。
【００５２】
この潮汐発電装置は、前開口部７２Ａを介して遊水室Ｒに対して流入出する水の流れが弱くても、潮の満ち引き等による水位の上下動によってフロート１０が上下動し、シリンダ装置２０が伸縮して発電装置６０が発電することができる。また、この潮汐発電装置は、シリンダ装置２０が伸縮している状態であれば、そのエネルギーを水車４０の起動時のトルクの補助として利用することができる。
【００５３】
この潮汐発電装置は、フロート１０の下面１２に高低差が形成され、第１下面１２Ａと、この第１下面１２Ａよりも高い位置に形成された第２下面１２Ｂとを有している。そして、水車４０は第２下面１２Ｂから吊り下げられている。このため、この潮汐発電装置は水車４０の鉛直方向の長さを長くすることができる。よって、この潮汐発電装置は水車４０の水の流れを受ける面積が大きくなり、水車４０が水の流れを効率的に受けて回転し、発電装置６０が発電することができる。
【００５４】
本発明は上記記述及び図面によって説明した実施形態１に限定されるものではなく、例えば次のような実施形態も本発明の技術的範囲に含まれる。
（１）実施形態１では、既存のスリット式防波堤に潮汐発電装置を組み付けたが、スリット式防波堤に限らず、少なくとも一部が水中に開口する前開口部が形成され、上端部が水面よりも上方に露出する前壁部を有した構造物であればよい。
（２）実施形態１では、水車を備えていたが、水車を備えていなくてもよい。
（３）実施形態１では、蓋部材を備えていたが、蓋部材を備えていなくてもよい。この場合、構造物がシリンダ装置の他方の端部を連結する構造を有していればよい。
（４）実施形態１では、シリンダ装置が１本であったが複数本を組み込んでもよい。この場合、４本のシリンダ装置をフロートの４隅に連結すれば、フロートが安定して上下動し、バランスがよい。また、複数本のシリンダ装置を組み込めば、シリンダ装置の伸縮時のがたつきが抑えられ長寿命化することができる。
（５）実施形態１では、蓋部材の裏面に高低差が形成されていたが、蓋部材の裏面に高低差を形成しなくてもよい。この場合、蓋部材の表面に凸部が形成されない。
（６）実施形態１では、フロートは、中空構造であり、連通孔が形成され、連通孔を閉鎖する蓋を有していたが、フロートは中空構造でなくてもよい。また、中空構造のフロートであっても、連通孔を形成しなくてもよい。
（７）実施形態１では、フロートの上面に高低差が形成されていたが、フロートの上面に高低差を形成しなくてもよい。
（８）実施形態１では、フロートの左右中央であり、前後中央よりも僅かに後壁部側の上面に凹部を設けたが、凹部は任意の位置に設けてもよい。
（９）実施形態１では、フロートの第１上面上に発電装置を取り付けていたが、発電装置をフロート内に設けてもよい。この場合、発電装置に対する塩害を防止したり、劣化を抑制したりすることができる。
【符号の説明】
【００５５】
１０…フロート、１１Ａ…第１上面、１１Ｂ…第２上面、１１Ｈ…連通孔、１２Ａ…第１下面、１２Ｂ…第２下面、１６…蓋、２０…シリンダ装置、３０…蓋部材、３１Ａ…第１裏面、３１Ｂ…第２裏面、４０…水車、５０…支持部材、６０…発電装置、７０…スリット式防波堤（構造物）、７２…前壁部、７２Ａ…前開口部、Ｒ…遊水室
【図１】
2017048729.tif 000003
【図２】
2017048729.tif 000004
【図３】
2017048729.tif 000005
【図４】
2017048729.tif 000006
【図５】
2017048729.tif 000007